(57)【特許請求の範囲】
【請求項１】
冷蔵庫の出入口を開閉する回転式扉に固定されるケーシングと、
前記ケーシングから突出して冷蔵庫の筐体側に設けられた受け部材に係止する係止位置と前記ケーシング側に退避して前記受け部材から離反する退避位置との間で往復移動可能なラッチと、
前記ケーシングに収容され、前記ラッチと係脱することによって当該ラッチを前記係止位置にロックするロック姿勢と前記ラッチが前記退避位置に移動することを許容するロック解除姿勢との間で切換可能なロック部材と、
前記ケーシングに沿う倒伏姿勢と前記ケーシングから起立する起立姿勢との間で切換可能に当該ケーシングに連結されるハンドルと、
前記ケーシングに取り付けられ、前記ハンドルを前記倒伏姿勢にロックするとともに前記ロック部材を前記ロック姿勢に切り換える施錠状態と、前記ハンドルのロックを解除するとともに前記ロック部材を前記ロック解除姿勢に切り換える解錠状態とに操作可能なキーユニットと、
前記ケーシング内に設けられ、前記ハンドルが前記倒伏姿勢にあるときには前記ラッチが前記係止位置に位置し、前記ハンドルが前記起立姿勢にあるときには前記ラッチが前記退避位置に位置するように前記ラッチと前記ハンドルとを連結し、前記ハンドルの操作力を受けて前記ラッチを退避位置に移動するハンドルリンクと、
ラッチシャフト孔に挿通し、前記ラッチに固定されることにより、当該ラッチと当該ハンドルリンクとをこれらが相対的に回動することを許容した状態で連結するラッチシャフトと、
前記ハンドルリンクに対して相対的に回動することを許容した状態で連結され、庫内からの操作に基づいて前記ハンドルリンクに対して回動することにより前記ロック部材のロックを解除するとともに前記ハンドルリンクと一体的に回動することにより前記ラッチを前記退避位置に移動させる庫内リンクと、を備え、
内周に前記ラッチシャフト孔を有するスリーブが前記ハンドルリンクと前記庫内リンクとのいずれか一方に形成され、いずれか他方に前記スリーブが挿通されるスリーブ孔が形成され、
前記ラッチシャフト孔は、前記ラッチシャフトが径方向へ離脱するのを規制する形状に形成され、
前記スリーブ孔は、前記庫内リンクが前記ハンドルリンクに対して回動した場合に前記スリーブがその径方向に移動可能に構成されているとともに前記スリーブがその径方向へ離脱するのを規制する形状に形成されている
ことを特徴とする施錠ユニット。
【請求項２】
請求項１に記載の施錠ユニットにおいて、
前記ケーシングに固定され、前記ハンドルリンク及び当該庫内リンクに形成されたハンドルシャフト孔に挿通することにより、当該ハンドルと当該ハンドルリンク及び当該庫内リンクとをこれらが当該ケーシングに対し相対的に回動することを許容した状態で連結するハンドルシャフトをさらに備え、
前記ハンドルリンク及び当該庫内リンクに形成されたハンドルシャフト孔は、前記ハンドルシャフトが径方向へ離脱するのを規制する形状に形成されている施錠ユニット。
【請求項３】
請求項１または請求項２に記載の施錠ユニットと、
前記冷蔵庫の出入口を形成する壁面に設けられ、前記施錠ユニットのラッチが係止位置にあるときに、当該ラッチと協働して前記冷蔵庫の扉をロックする受け部材と、
を備えていることを特徴とする施錠装置。
【発明の詳細な説明】
【技術分野】
【０００１】
本発明は、施錠ユニット及び施錠装置に関する。
【背景技術】
【０００２】
冷蔵庫の回動式扉には、庫外からのキー操作によって解錠可能な施錠装置が用いられている。ここで、当該冷蔵庫が、人が出入り可能な大型のいわゆるウォーク・イン型である場合、前記施錠装置は、不随意に庫内に閉じ込められた人が庫外に脱出するために、緊急的に庫内から解錠可能な機能をも備えていることが一般的である。
【０００３】
一般に市販されている施錠装置においては、ケーシングと、ケーシングから突出する係止位置とケーシング内に退避する退避位置との間で往復移動可能なラッチと、ラッチを庫外から退避位置と係止位置との間で操作可能なハンドルと、ハンドルの動作をロック又はロック解除するキーユニットと、ハンドルの動作と独立してラッチを庫内から係止位置と退避位置との間で操作可能な操作機構とを備えている。上述した構成の施錠装置は、キーユニットによってハンドルがロックされているときは、扉の開閉をロックすることができる一方、庫内から解錠が必要なときは、操作棒を用いてラッチを係止位置から退避位置に移動することにより、解錠が可能になっていた。
【０００４】
しかしながら、このような施錠装置の中には、ラッチが単に係止位置に付勢されているだけで当該位置にロックされていないため、ワイヤ等を用いてラッチの露出部分を直接操作することによってもラッチを簡単に退避位置に移動し得ることになり、最近になってセキュリティ上の脆弱性が問題視されるようになってきた。
【０００５】
そのような脆弱性を解消可能な構成として、例えば、特許文献１に記載の施錠装置が知られている。同施錠装置は、市販品と同様構成のラッチと、このラッチをハンドルと連結し、当該ハンドルの操作によって前記ラッチを移動させるハンドルリンクと、前記ラッチと係脱することによって前記ラッチを係止位置にロック又はロック解除する板ばね状のロック部材と、庫外からのキーの操作によってロック部材のロックを解除するキーユニットとを備えている。ここで特許文献１の構成では、ラッチに設けた支軸に対し、ハンドルリンクを当該支軸の径方向に係脱可能に連結していた。
【０００６】
特許文献１の構成では、ロック部材で係止位置に移動したラッチをロックしているので、ラッチを直接操作してもラッチを退避位置に移動することはできなくなり、セキュリティが向上する。
【先行技術文献】
【特許文献】
【０００７】
【特許文献１】実開昭６１−３８６９号公報
【発明の概要】
【発明が解決しようとする課題】
【０００８】
しかしながら、上述した構成では、ラッチに設けた支軸に対し、ハンドルリンクを当該支軸の径方向に係脱可能に連結していたので、経年劣化が生じやすくなり、また、そのような経年劣化によってハンドルリンクの係脱部位が摩耗し、滑りが悪くなるという不具合があった。さらに、ケーシングを開いたときに、ハンドルリンクの係脱部位が離脱してばらけやすくなり、組立時やメンテナンス時の作業性低下の原因にもなっていた。
【０００９】
本発明は、上述した課題に鑑みてなされたものであり、施錠時にラッチ自身を係止位置にロックする部材を備え、しかも長期間にわたって高い耐久性を維持することができ、組付やメンテナンス時の取扱いが容易な施錠ユニット及び施錠装置を提供することを課題としている。
【課題を解決するための手段】
【００１０】
上記課題を解決するために、本発明は、冷蔵庫の出入口を開閉する回転式扉に固定されるケーシングと、前記ケーシングから突出して冷蔵庫の筐体側に設けられた受け部材に係止する係止位置と前記ケーシング側に退避して前記受け部材から離反する退避位置との間で往復移動可能なラッチと、前記ケーシングに収容され、前記ラッチと係脱することによって当該ラッチを前記係止位置にロックするロック姿勢と前記ラッチが前記退避位置に移動することを許容するロック解除姿勢との間で切換可能なロック部材と、前記ケーシングに沿う倒伏姿勢と前記ケーシングから起立する起立姿勢との間で切換可能に当該ケーシングに連結されるハンドルと、前記ケーシングに取り付けられ、前記ハンドルを前記倒伏姿勢にロックするとともに前記ロック部材を前記ロック姿勢に切り換える施錠状態と、前記ハンドルのロックを解除するとともに前記ロック部材を前記ロック解除姿勢に切り換える解錠状態とに操作可能なキーユニットと、前記ケーシング内に設けられ、前記ハンドルが前記倒伏姿勢にあるときには前記ラッチが前記係止位置に位置し、前記ハンドルが前記起立姿勢にあるときには前記ラッチが前記退避位置に位置するように前記ラッチと前記ハンドルとを連結し、前記ハンドルの操作力を受けて前記ラッチを退避位置に移動するハンドルリンクと、ラッチシャフト孔に挿通し、前記ラッチに固定されることにより、当該ラッチと当該ハンドルリンクとをこれらが相対的に回動することを許容した状態で連結するラッチシャフトと、前記ハンドルリンクに対して相対的に回動することを許容した状態で連結され、庫内からの操作に基づいて前記ハンドルリンクに対して回動することにより前記ロック部材のロックを解除するとともに前記ハンドルリンクと一体的に回動することにより前記ラッチを前記退避位置に移動させる庫内リンクと、を備え、内周に前記ラッチシャフト孔を有するスリーブが前記ハンドルリンクと前記庫内リンクとのいずれか一方に形成され、いずれか他方に前記スリーブが挿通されるスリーブ孔が形成され、前記ラッチシャフト孔は、前記ラッチシャフトが径方向へ離脱するのを規制する形状に形成され、前記スリーブ孔は、前記庫内リンクが前記ハンドルリンクに対して回動した場合に前記スリーブがその径方向に移動可能に構成されているとともに前記スリーブがその径方向へ離脱するのを規制する形状に形成されていることを特徴とする施錠ユニットである。
【００１１】
この態様では、キーユニットによって庫外から施錠操作を行うことができるとともに、ケーシングに設けたラッチを当該ケーシングから突出した係止位置にロックするロック部材を設けているので、施錠されたラッチを直接操作してもラッチが移動することはない。従って、セキュリティの向上に寄与することができる。しかも、本態様に係るラッチシャフト孔は、ラッチシャフトが径方向へ離脱するのを規制する形状に形成されているので、当該ラッチとハンドルリンクとをラッチシャフトで連結した後は、ラッチとハンドルリンクとは、ケーシングに対し当該ラッチシャフトの径方向に離脱不能に連結されることになる。よって、長期間使用してもラッチシャフトに連結しているラッチとハンドルリンクの離脱に伴う摩耗や傷が生じにくくなり、円滑な滑りを長期間にわたって維持することが可能になる。さらに、ラッチとハンドルリンクとがラッチシャフトに当該ラッチシャフトの径方向に離脱不能に連結されていることよって、ケーシングを開いたときにこれらの部材がケーシングからばらけることもなくなり、組付時やメンテナンス時の取扱いが格段に向上する。
【００１２】
この施錠ユニットにおいて、前記ハンドルリンクに対して相対的に回動することを許容した状態で連結され、庫内からの操作に基づいて前記ハンドルリンクに対して回動することにより前記ロック部材のロックを解除するとともに前記ハンドルリンクと一体的に回動することにより前記ラッチを前記退避位置に移動させる庫内リンクをさらに備えている。この態様では、ハンドルの力を伝達するときは、ハンドルリンクを用いてラッチを係止位置と退避位置との双方向に移動することができるとともに、庫内からの操作力をラッチに伝達するときには、庫内リンクによってラッチを退避位置に移動することができるので、庫内リンクを操作することによってラッチを係止位置から強制的に退避位置に移動することができ、不随意に庫内に閉じ込められた人が、庫内から庫内リンクを操作することによって、緊急的に庫内から解錠することができ、庫外に脱出することが可能となる。しかも、これらのリンク機能を２部材に担わせることができるので、ハンドルの操作時の仕様と庫内からの解錠操作時の仕様に応じて、各リンクを個別に設計することができ、実施が容易になるとともに、個々のリンクの動作の信頼性を高めることができる。
【００１３】
好ましい態様の施錠ユニットにおいて、前記ケーシングに固定され、前記ハンドルリンク及び当該庫内リンクに形成されたハンドルシャフト孔に挿通することにより、当該ハンドルと当該ハンドルリンク及び当該庫内リンクとをこれらが当該ケーシングに対し相対的に回動することを許容した状態で連結するハンドルシャフトをさらに備え、前記ハンドルリンク及び当該庫内リンクに形成されたハンドルシャフト孔は、前記ハンドルシャフトが径方向へ離脱するのを規制する形状に形成されている。この態様では、ハンドルリンク及び庫内リンクがハンドルとも離脱不能に構成されるので、一層、組付状態が安定し、耐久性が向上する。
【００１４】
本発明の別の態様は、上述した施錠ユニットと、前記冷蔵庫の出入口を形成する壁面に設けられ、前記施錠ユニットのラッチが係止位置にあるときに、当該ラッチと協働して前記冷蔵庫の扉をロックする受け部材と、を備えていることを特徴とする施錠装置である。
【発明の効果】
【００１５】
以上説明したように、本発明によれば、施錠時にラッチ自身を係止位置にロックする機構を備えているばかりでなく、長期間にわたって高い耐久性を維持することができ、組付やメンテナンス時の取扱いが容易な構成とすることができるという顕著な効果を奏する。
【００１６】
本発明のさらなる特徴、目的、構成、並びに作用効果は、添付図面と併せて読むべき以下の詳細な説明から容易に理解できるであろう。
【図面の簡単な説明】
【００１７】
【図１】本発明の実施の一形態に係る全体構成を示す斜視図である。
【図２】図１の実施形態における要部の分解斜視図である。
【図３】図１の実施形態において、庫内リンクを省略して施錠状態を示す断面略図である。
【図４】図１の実施形態において、庫内リンクを省略してハンドルによる解錠状態を示す断面略図である。
【図５】図１の実施形態において、庫内リンクを含めた施錠状態を示す断面略図である。
【図６】図１の実施形態において、庫内リンクを含めた庫内からの解錠過程を示す断面略図である。
【図７】図１の実施形態において、庫内リンクを含めた庫内からの解錠状態を示す断面略図である。
【発明を実施するための形態】
【００１８】
以下、添付図面を参照して、本発明を実施するための最良の形態について説明する。
【００１９】
まず、図１を参照して、本実施形態に係る施錠装置１は、大型のウォーク・イン型冷蔵庫２の筐体３を構成する正面３ａに固定される受け部材１０と、受け部材１０と共同して筐体３が形成する出入口の扉４を施錠する施錠ユニット２０とからなる。冷蔵庫２の扉４は、鉛直軸回りに回動する回転式扉である。なお、以下の説明では、冷蔵庫２のうち、扉４が設けられている面を仮に正面とする。
【００２０】
受け部材１０は、冷蔵庫２の筐体３の正面３ａに突設されており、冷蔵庫２を閉じている扉４に対向する部位の一部が扉４と反対側に窪んだ凹部１１を有するフック形状を呈している。なお、受け部材１０は、筐体３の正面３ａに直接固定されていてもよく、外装部材を介して筐体３に固定されていてもよい。このように受け部材１０は、冷蔵庫２の出入口を形成する筐体３に対し、直接又は間接的に、すなわち、「筐体側」に固定されていればよい。
【００２１】
施錠ユニット２０は、中空の略直方体に形成されて、その長手方向が左右に沿って扉４の正面４ａに固定されたケーシング２１と、このケーシング２１の長手方向一端側（施錠ユニット２０が受け部材１０に対向する側。以下、同様。）において、ケーシング２１の内外に進退するラッチ２２と、ラッチ２２を操作するためにケーシング２１の他端側に取り付けられたハンドル２３と、ハンドル２３の回動をロック又はロック解除するキーユニット２４と、ケーシング２１の外周面を覆うカバー２５とを備えている。
【００２２】
図１及び図３〜図７を参照して、ケーシング２１は、底部が開口している中空のシェル２７と、このシェル２７の底部を開閉する底板２８とを有している。底板２８は、製造時にシェル２７の背面側にビス止めされて、シェル２７の底部を開閉可能に閉じている。
【００２３】
図１に示すように、シェル２７は、扉４の正面４ａに着座し、扉４の幅方向（左右方向）に長く延びる正面視略長方形の台座部２７ａと、台座部２７ａの側部に全周にわたって連続する周壁部２７ｂと、周壁部２７ｂの頂部を覆う上板２７ｃと、上板２７ｃの正面に連続的に形成された隆起部２７ｄとを備えている。台座部２７ａは、幅方向両側に配設され、長手方向に間隔を隔てて並ぶ２組のボルト２７ｆによって、扉４の正面に固定されている。なお、台座部２７ａには、後述するばね部材３４を受けるばね受板２７ｈが立設されており、ばね受板２７ｈは、周壁２７ｂに覆われている。周壁部２７ｂは、台座部２７ａの底部から立ち上がり、上板２７ｃと一体に形成されて台座部２７ａと上板２７ｃとの間を囲繞している。上板２７ｃは、台座部２７ａと概ね同一形状の平面視長方形に形成されており、ケーシング２１の外殻を構成している。隆起部２７ｄは、上板２７ｃの幅方向中央側において、上板２７ｃの長手方向全長にわたって滑らかな段差を形成しながら帯状に隆起している。隆起部２７ｄの他端側には、隆起部２７ｄの長手方向略中央部分から他端側の周壁部２７ｂにわたって長手方向沿いに溝状に開くハンドル装着口２７ｅが形成されている。隆起部２７ｄの長手方向略中央部分には、ハンドル装着口２７ｅと連通して隆起部２７ｄをケーシング２１の幅方向に貫通するシャフト孔２７１が貫通している。このシャフト孔２７１には、後述するハンドルシャフト３１が挿通される。また、周壁部２７ｂのうちケーシング２１の一端側を構成する部位には、四角形断面のラッチ開口部２７ｇが形成されている。
【００２４】
一方、底板２８は、シェル部２７の台座２７ａの底部開口部分を覆う部材であり、図略のビスで着脱自在にシェル部２７に固定されて、シェル部２７とともに、ケーシング２１を構成している。底板２８の一部には、扉４の正面４ａに向かって開く操作口２８ａが形成されている。ケーシング２１の固定位置において、扉４には、操作口２８ａと連通する孔５が形成されている。そのため、ケーシング２１（のシェル２７）内部は、孔５及び操作口２８ａを介して庫内と連通している。
【００２５】
次に、カバー２５は、ケーシング２１の周壁部２７ｂの外面に沿う枠状に形成され、その長手方向の一端側が切り欠かれて間隔を隔てて開く一対の取付部２５ａを有している。カバー２５の取付部２５ａは、扉４が閉じているときは、冷蔵庫２の筐体３に対向し、外部から操作不能な部位を有している。この部位にビス止めされることにより、カバー２５は、ケーシング２１に対し周壁部２７ｂにビス止めされることにより、ケーシング２１に固定され、当該ケーシング２１の台座部２７ａをビス止めするボルト２７ｆを被覆している。このカバー２５の取付部２５ａ、２５ａ間には、周壁部２７ｂに形成されたラッチ開口部２７ｇが開口している。
【００２６】
図２〜図７を参照して、ラッチ２２は、ラッチ開口部２７ｇの開口形状に適合するように、四角形の断面形状に形成され、ケーシング２１の長手方向に沿って延びる板金製の部品である。ラッチ２２の長手方向一端側は、ケーシング２１の底板２８に向かって開くチャネル形状の係合部２２ａが形成されているとともに、他端側には、係合部２２ａに延設されて片持ち状に延びる一対の板状の連結部２２ｂが形成されている。係合部２２ａのケーシング２１の底板２８に対向する部位は、一端側に向かうに従って滑らかに庫外側に湾曲する湾曲面を形成している。また、係合部２２ａは樹脂材２９によって中実に形成されている。係合部２２ａの上面には、樹脂材２９の他端側面に接合するように折り返された板片２２ｃが形成されている。板片２２ｃは、ラッチ２２を付勢する後述のばね部材３４の受け座を構成する。一方、ラッチ２２の連結部２２ｂには、ケーシング２１の幅方向に貫通するシャフト孔２２ｄ（図２参照）と、底板２８に対向する部位に、底板２８と反対側に直角に切り欠かれた肩部２２ｅとが形成されている。シャフト孔２２ｄには、後述するハンドルリンク４１及び庫内リンクとしての一対のリンク片４２、４３とラッチ２２とを連結するラッチシャフト３２が貫通する。
【００２７】
またラッチ２２は、ケーシング２１内において、当該ケーシング２１の長手方向沿いに往復移動可能に配置されている。図３に示すように、ラッチ２２が一端側に移動している位置では、係合部２２ａは、ケーシング２１のラッチ開口部２７ｇから突出し、受け部材１０の凹部１１に係合する。ラッチ２２の係合部２２ａが凹部１１に係合する位置では、扉４は、ラッチ２２と受け部材１０とによって回動がロックされたまま閉じた状態になる。このときのラッチ２２の位置が係止位置となる。一方、図４に示すように、ラッチ２２が他端側に移動すると、係合部２２ａの殆どの部位がケーシング２１のラッチ開口部２７ｇ内に納まり、ラッチ２２の係合部２２ａは、受け部材１０の凹部１１から離脱する。係合部２２ａが凹部１１から離脱した位置では、扉４は、ラッチ２２と受け部材１０とによるロックが解除されて開き得る状態になる。このときのラッチ２２の位置が退避位置となる。このようにラッチ２２は、ケーシング２１から突出して冷蔵庫２の出入口を形成する筐体３（側）に設けられた受け部材１０に係止する係止位置と受け部材１０から離反してケーシング２１内に退避する退避位置との間で往復移動可能に構成されている。
【００２８】
図３〜図７を参照して、ラッチ２２を退避位置から係止位置に付勢するため、ケーシング２１内には、ばね部材３４が介装される。ばね部材３４の一端側は、ラッチ２２の板片２２ｃに係止するとともに他端側は、台座部２７ａに立設されたばね受板２７ｈの一端側に係止する。図示の例では、ばね部材３４は、第１のコイルばね３４ａと、この第１のコイルばね３４ａよりも小径に形成されて第１のコイルばね３４ａの内周側に収容される第２のコイルばね３４ｂとを二層に介装して具体化されており、このばね部材３４によって所要の付勢力をラッチ２２に付与している。
【００２９】
図２〜図４を参照して、ハンドル２３は、一端側の操作部２３ａと、操作部２３ａの他端側に延設される把持部２３ｂとを有する。
【００３０】
操作部２３ａは、ケーシング２１の外側からシェル２７に形成されたハンドル装着口２７ｅ内に入り込み、一部をケーシング２１の内部に収容している。また、操作部２３ａには、ケーシング２１の隆起部２７ｄを貫通するハンドルシャフト３１のシャフト孔２３１が形成されており、組付時において、ハンドル２３は、ハンドルシャフト３１によって当該軸回りに回動可能にケーシング２１に連結される。この結果、ハンドル２３は、図１及び図３に示すように、全体が概ねケーシング２１の長手方向に沿って倒伏した倒伏姿勢と、図４に示すように、倒伏姿勢から図４の反時計回りに回動し、ケーシング２１に対して自由端側が起立する起立姿勢との間でハンドルシャフト３１回りに回動可能にケーシング２１に連結される。
【００３１】
把持部２３ｂは、操作部２３ａから他端側に延びて、握りやすいように緩やかに湾曲した棒状の部位である。詳しくは後述するように、ハンドル２３の操作部２３ａとラッチ２２の連結部２２ｂとは、ハンドルリンク４１を介して連結されており、このハンドルリンク４１によって、ハンドル２３は、庫外からの操作により、倒伏姿勢にあるときはラッチ２２を係止位置に位置させ、起立姿勢にあるときはラッチ２２を退避位置に位置させるようにラッチ２２と連結されている。よって、ハンドル２３は、倒伏姿勢と起立姿勢との間で移動することにより、ラッチ２２を係止位置と退避位置とに操作できるように構成されている。
【００３２】
ハンドル２３の操作をロックし、ラッチ２２を係止位置にロックするために、ケーシング２１内の底板２８には、ロック部材３５が取り付けられている。
【００３３】
図２〜図７を参照して、ロック部材３５は、正面視略長方形の板金部材であり、ケーシング２１の長手方向に長手方向を沿わせて、他端部側が固定された片持ち状に支持されている。ロック部材３５は、底板２８にビス止めされる基端部３５ａと、基端部３５ａから屈曲して斜めに一端側へ突出する突出部３５ｂと、突出部３５ｂからさらに一端側に突出する当接部３５ｃと当接部３５ｃから一端側に突出する受圧部３５ｄとを有している。当接部３５ｃは、ロック部材３５が自由状態にあるときには係止位置にあるラッチ２２の肩部２２ｅに当接し、ラッチ２２が他端側の退避位置に移動するのをロックする。このとき、受圧部３５ｄが、ラッチ２２の一対の連結部２２ｂ、２２ｂ間に入り込み、後述するキーユニット２４側に臨んでいる。一方、この受圧部３５ｄが底板２８側に押し込まれると、当接部３５ｃは、肩部２２ｅから離反し、ラッチ２２が他端側の退避位置に移動することを許容する。以下の説明では、図３、図５に示すように、ロック部材３５の当接部３５ｃが連結部２２ｂに係合しているときの姿勢を「ロック姿勢」といい、図４、図６、図７に示すように、当接部３５ｃが連結部２２ｂから離脱しているときの姿勢を「ロック解除姿勢」という。このように、ロック部材３５は、ケーシング２１に収容され、ラッチ２２と係脱することによって当該ラッチ２２を係止位置にロックするロック姿勢とラッチを退避位置に移動することを許容するロック解除姿勢との間で切換可能に構成されている。
【００３４】
なお、図示の例において、ロック部材３５と底板２８との間には、コイルばね３６が過介装されている。コイルばね３６は、ロック部材３５の受圧部３５ｄを底板２８から押し離す方向、すなわち、ロック部材３５をロック姿勢に付勢している。そのため、受圧部３５ｄは、底板２８との間に介装されたコイルばね３６によって、常時、底板２８と反対側に付勢されている。この結果、ロック部材３５は、自由状態（「ロック姿勢」）では、当接部３５ｃがラッチ２２の肩部２２ｅに当接しやすいように付勢されている。
【００３５】
図１、図２を参照して、キーユニット２４は、庫外からハンドル２３のロック及びロック解除と、ロック部材３５のロック及びロック解除とを操作するためにケーシング２１に取り付けられている。同キーユニット２４は、庫外から図略のキーによって操作されるシリンダ錠２４１と、このシリンダ錠２４１に連結される施錠部材２４２と、施錠部材２４２をケーシング２１に対し、当該ケーシング２１の長手方向沿いに往復移動可能に連結する軸受スリーブ２４３と、軸受スリーブ２４３をケーシング２１に固定するねじ２４４とを含む部品である。
【００３６】
シリンダ錠２４１は、全体として円柱形状に形成され、ケーシング２１の隆起部２７ｄ上に嵌入されて、キー孔を外部に臨ませる部品である。シリンダ錠２４１の先端部には、当該シリンダ錠２４１のキー操作によって回動するカム軸２４１ａが設けられている。カム軸２４１ａは、シリンダ錠２４１の中心軸に対して偏心して突出しており、同中心線回りに所定角度（例えば９０°）双方向に回動するように構成されている。
【００３７】
施錠部材２４２は、ケーシング２１の底板２８と平行に長手方向が沿う長方形に形成された平行板部２４２ａと、この平行板部２４２ａの長手方向他端側に延設されて、底板２８に向かい、概ね直角に屈曲するロック解除部２４２ｂとを一体に有する板金部材である。施錠部材２４２の平行板部２４２ａには、当該平行板部２４２ａの幅方向に長く延びる長孔２４２ｃと、この長孔２４２ｃの一端側に間隔を隔てて配置され、当該平行板部２４２ａの長手方向に長く延びる長孔２４２ｄとが形成されている。長孔２４２ｃには、シリンダ錠２４１のカム軸２４１ａが嵌入している。また、長孔２４２ｄには、ねじ２４４が嵌入し、軸受スリーブ２４３を介してケーシング２１に連結されている。そのため、シリンダ錠２４１の回動に伴い、カム軸２４１ａから伝達されるシリンダ錠２４１の回動力は、両長孔２４２ｃ、２４２ｄによってケーシング２１の長手方向の力に変換され、施錠部材２４２の一部である平行板部２４２ａは、図３に示すように、ハンドル２３の一端部の下面に臨んで、ハンドル２３の回動をロックする位置と、図４に示すように、ハンドル２３の一端部から一端側に退避して、ハンドル２３の回動を許容する位置とに往復移動可能に構成されている。また、この施錠部材２４２の一部であるロック解除部２４２ｂは、平行板部２４２ａとの接合部分が湾曲した凹面形状を呈し、他端側に臨むハンドル２３との干渉を回避できるような形状に形成されている。このロック解除部２４２ｂの自由端（底板２８側の端部）は、常時、ラッチ２２の一対の連結部２２ｂ、２２ｂ間に入り込み、受圧部３５ｄの正面に臨んでいる。そして、図３に示すように、ロック解除部２４２ｂが他端側に寄せられ、ハンドル２３の回動をロックしている位置では、ロック解除部２４２ｂは、その自由端がロック部材３５の受圧部３５ｄから離れ、ロック部材３５が自由状態、すなわちロック姿勢になっていることを許容するとともに、図４に示すように、ロック解除部２４２ｂが一端側に移動し、ハンドルの回動を許容している位置では、その自由端がロック部材３５の受圧部３５ｄを前方に押し込み、ロック部材３５をロック解除姿勢に移動する。このようにキーユニット２４は、ケーシング２１に取り付けられ、ハンドル２３を倒伏姿勢にロックするとともにロック部材３５をロック姿勢に切り換える施錠状態と、ハンドル２３のロックを解除するとともにロック部材３５をロック解除姿勢に切り換える解錠状態とに操作可能に構成されている。この構成により、操作者は、ハンドル２３を倒伏姿勢にロックするとともにロック部材３５をロック姿勢にする操作と、ハンドル２３のロックを解除するとともにロック部材３５をロック解除姿勢にする操作とが可能となっている。なお、キーユニット２４のさらなる構成や作用効果は、本件出願人が先に提案した特開２００１−４９９１４号公報等に詳細に記されているので、残余の説明については、これを省略する。また、キーユニット２４に代えて、シリンダ錠によってケーシング内で回動するシャフト回りに所定の角度をもって傾斜しているカムを有する形状のものを採用し、当該カムをロック部材３５に係脱させてロック部材３５を操作する構成を採用してもよい。
【００３８】
次に、図２〜図７を参照して、ハンドル２３の動力をラッチ２２に伝達するために、ケーシング２１内には、ハンドル２３とラッチ２２とを連結するハンドルリンク４１と、ハンドルリンク４１の両側に配置されて庫内からの操作により移動される庫内カムを構成する一対のリンク片４２、４３と、ハンドルリンク４１及び一対のリンク片４２、４３を相対回転可能に連結する連結ピン４４とが設けられている。
【００３９】
図２、図３を参照して、ハンドルリンク４１及び庫内カムとしての一対のリンク片４２、４３は、何れも板金部材である。
【００４０】
ハンドルリンク４１には、ハンドルシャフト３１を挿通させるハンドルシャフト孔４１１が形成されており、一部がハンドル２３の操作部２３ａに形成された凹部２３ｄ内に入り込んで、ハンドルシャフト３１と連結されている。本実施形態において、ハンドルシャフト孔４１１は、全周にわたって閉じた丸孔であり、ハンドルシャフト３１が径方向へ離脱するのを規制する形状に形成されている。そのため、当該ハンドルシャフト３１にハンドルリンク４１を連結した後は、ハンドルリンク４１がハンドルシャフト３１でケーシング２１に対し当該ハンドルシャフト３１の径方向に離脱不能に連結されることになる。もっともハンドルシャフト孔４１１は、上述のような状態でハンドルシャフト３１の径方向に外れない状態で連結されているものであれば、その一部が切り欠かれて開放されていてもよい。具体的には、ハンドルシャフト３１の半周（半径をｒとした場合に、πｒ）を越える範囲が覆われていれば、一部が開いた形状であってもよい。
【００４１】
図３に示すように、ハンドルリンク４１は、シャフト孔４１１の真上の部分から一端側に延びて、ハンドル２３の凹部２３ｄ内に概ね平行に延びる受圧部４１ｂと、受圧部４１ｂから僅かに他端側に傾いた方向で底板２８側に向かい突起状に延びる連結部４１ｃと、連結部４１ｃの他端側から突起状に延びて、底板２８の操作口２８ａに臨むレバー部４１ｄとを有している。ハンドル２３の凹部２３ｄは、ハンドルリンク４１の受圧部４１ｂに沿う押圧部２３ｅを形成しており、倒伏姿勢から起立姿勢に移行する際に、この押圧部２３ｅがハンドルシャフト３１よりも一端側のところで受圧部４１ｂに当接して、ハンドルリンク４１をハンドルシャフト３１回りに図３において反時計方向に回動させる機能を奏する。このようにハンドルリンク４１は、ハンドル２３が倒伏姿勢にあるときにラッチ２２が係止位置に位置し、ハンドル２３が起立姿勢にあるときにラッチ２２が退避位置に位置するようにラッチ２２とハンドル２３とを連結する。
【００４２】
さらに、ハンドルリンク４１の連結部４１ｃには、スリーブ４１ｅが形成されている。スリーブ４１ｅは、後述するリンク片４２、４３とのスムーズな連結構造を得るために、ハンドルリンク４１の両側に突出している。スリーブ４１ｅの内周には、ハンドルリンク４１を貫通するラッチシャフト孔４１２が形成されている。ラッチシャフト孔４１２は、ハンドル２３が倒伏姿勢にあるときに、すなわち、受圧部４１ｂが操作部２３ａの押圧部２３ｅから力を受けていない状態のときに、ラッチ２２の連結部２２ｂ、２２ｂ間に対向し、当該連結部２２ｂのシャフト孔２２ｄと同心に対向する位置に形成されている。ラッチシャフト３２は、ハンドルリンク４１のラッチシャフト孔４１２を通り、ラッチ２２とハンドルリンク４１とを連結する。この結果、ハンドル２３が倒伏姿勢から起立姿勢に回動することにより、ハンドルリンク４１が押圧部２３ｅから力を受けてハンドルシャフト３１回りに図３において反時計回りに回動すると、この回動力がラッチシャフト３２に伝達されることによってラッチ２２をケーシング２１の長手方向他端側に沿う方向に変換されてラッチ２２に伝達される結果、ラッチ２２は係止位置から退避位置に移動する。本実施形態において、ラッチシャフト孔４１２は、全周にわたって閉じた丸孔であり、ラッチシャフト３２が径方向へ離脱するのを規制する形状に形成されている。そのため、当該ラッチシャフト３２にハンドルリンク４１を連結した後は、ラッチ２２とハンドルリンク４１とは、ケーシング２１に対し当該ラッチシャフト３２の径方向に離脱不能に連結されることになる。もっともスリーブ４１ｅは、必須ではなく、省略されていてもよい。その場合、ラッチシャフト孔４１２は、上述のような状態でラッチシャフト３２の径方向に外れない状態でラッチシャフト３２を挿通するものであれば、ハンドルシャフト孔４１１と同様に一部が切り欠かれて開放されていてもよい。なお、ハンドル２３が起立姿勢から倒伏姿勢に回動した場合には、ハンドルリンク４１はハンドル２３から直接力を受けないが、ばね部材３４の付勢力がラッチ２２からラッチシャフト３２に伝達され、ラッチシャフト３２は、退避位置から係止位置に付勢する力を受ける。この力がラッチシャフト３２からハンドルリンク４１に伝達されることによって、ハンドルリンク４１は、ハンドルシャフト３１回りに図３において時計回りに回動し、受圧部４１ｂが押圧部２３ｅと概ね平行に沿う姿勢に復帰する。さらに、ハンドルリンク４１には、ピン孔４１３が形成されている。ピン孔４１３は、ハンドルシャフト孔４１１とラッチシャフト孔４１２とを結ぶ線よりも他端側に配置されており、この位置で連結ピン４４を挿通させて庫内カムとしての一対のリンク片４２、４３と連結される。このように、ハンドルリンク４１は、ハンドル２３の動作に連動してハンドルシャフト３１を中心に、回動量θの範囲内で回動し、ハンドル２３が倒伏姿勢にあるときにラッチ２２が係止位置に位置し、ハンドル２３が起立姿勢にあるときにラッチ２２が退避位置に位置するようにラッチ２２とハンドル２３とを連結する。図示の実施形態では、連結部４１ｃの一端側には、所要の強度を持たせるために、厚み方向に膨出���た厚肉形状に形成されている。
【００４３】
次に、図２、図５〜図７を参照して、庫内カムとしての一対のリンク片４２、４３は、それぞれがラッチシャフト３２によって連結されるロック解除部４２ａ、４３ａと、ロック解除部４２ａ、４３ａの他端側に連続し、他端側に片持ち状に延びるレバー部４２ｂ、４３ｂとを有している。
【００４４】
ロック解除部４２ａ、４３ａは、リンク片４２、４３の本体部分であるとともに、レバー部４２ｂ、４３ｂが後述のように移動されることにより、ラッチ２２が施錠されている状態において、ロック部材３５をロック姿勢からロック解除姿勢に切り換える部位である。ロック解除部４２ａ、４３ａには、ハンドルシャフト３１を挿通させるハンドルシャフト孔４２１、４３１と、ハンドルリンク４１のスリーブ４１ｅを挿通させるスリーブ孔４２２、４３２とが形成されている。これら孔４２１、４３１、４２２、４３２は、所定方向の長孔で形成されている。具体的には、図５に示されているように、一対のリンク片４２、４３がロック部材３５によって底板２８の反対側に付勢されているときは、一対のリンク片４２、４３がハンドルリンク４１に対し、連結ピン４４回りに図５において時計回り方向に相対的に捩れた位置に保持され、図６に示されているように、レバー部４２ｂ、４３ｂが操作棒６によって押し込まれた場合には、一対のリンク片４２、４３が連結ピン４４回りに図６において反時計回り方向に回動し、ロック解除部４２ｂ、４３ｂがロック部材３５の当接部３５ｃを押し込んだ状態でハンドルリンク４１と一体的に回動し得るように、各孔４２１、４３１、４２２、４３２の長軸の向きが設定されている。また、各孔４２１、４３１、４２２、４３２は、全周にわたって閉じた長孔であり、リンクシャフト３１及びハンドルシャフト３２にリンク片４２、４３が連結された後は、当該径方向に対応するシャフト３１、３２（又はスリーブ４１ｅ）の径方向に離脱不能な（外れない）形状に形成されている。
【００４５】
ロック解除部４２ａ、４３ａとレバー部４２ｂ、４３ｂとの境界部分には、連結ピン４４を挿通させるピン孔４２３、４３３が基端部に形成されている。そのため、リンク片４２、４３は、組付時において、ピン孔４２３、４３３を挿通する連結ピン４４回りに予め設定された施錠時のホームポジションから所定の回動量αだけハンドルリンク４１と相対的にラッチ解除方向に回動できるように構成されている。
【００４６】
レバー部４２ｂ、４３ｂは、ロック解除部４２ａ、４３ａから他端側に向かい底板２８に近接するように斜めに延びて、底板２８の操作口２８ａに臨んでいる。図５から図６に示すように、操作口２８ａから操作棒６が挿入され、レバー部４２ｂ、４３ｂが押し込まれると、レバー部４２ｂ、４３ｂは、ピン孔４２３、４３３に挿通している連結ピン４４回りに、図６において反時計回りに所定量αだけ回動するように構成されている。一方のリンク片４２のレバー部４２ｂ、４３ｂには、当該レバー部４２ｂ、４３ｂの長手方向にわたり、ケーシング２１の幅方向に沿って直角に起立する押圧板４２ｄが一体形成されている。押圧板４２ｄは、一対のリンク片４２、４３が所定量αだけ回動した後、さらに移動されることにより、両リンク片４２、４３の間に配置されたハンドルリンク４１のレバー部４１ｄを押し込んでハンドルリンク４１を両リンク片４２、４３と一体的に移動するためのものである。
【００４７】
図５及び図６を参照して、ラッチ２２が係止位置にあり、各リンクが初期状態にある図５の状態から操作棒６によって、各リンク片４２、４３のレバー部４２ｂ、４３ｂが押し込まれて図５において反時計回りに回動すると、この回動により、図６に示すように、ロック解除部４２ａ、４３ａは、ロック部材３５の正面を底板２８側に押し込んで、ロック姿勢にあるロック部材３５をロック解除姿勢に切り換える。
【００４８】
図６及び図７を参照して、各リンク片４２、４３がロック部材３５の正面を底板２８側に押し込んで一対のリンク片４２、４３が所定量αだけ回動した図６の状態から、操作棒６によって、各リンク片４２、４３のレバー部４２ｂ、４３ｂがさらに同一方向に押し込まれた場合、ハンドルリンク４１が押圧板４２ｄ、４３ｄによって両リンク片４２、４３と一体的に移動されることにより、これらのリンク４１〜４３は、ハンドルシャフト３１回りに図６において反時計回りに一体的に回動する。この結果、図７に示すように、庫内から操作棒６を操作口２８ａに挿入した場合においても、ロック部材３５によるロックを解除し、解錠操作を行うことが可能となる。
【００４９】
上述のようなハンドルリンク４１、一対のリンク片４２、４３は、以下の手順で組み付けられる。
【００５０】
図２を参照して、まず、ハンドルリンク４１の両側に一対のリンク片４２、４３を配置する。このとき、ハンドルリンク４１のスリーブ４１ｅが各リンク片４２、４３のスリーブ孔４２２、４３２に挿通し、かつ一方のリンク片４２に形成された押圧板４２ｄがハンドルリンク４１のレバー部４１ｄの背面側に対向する位置に配置された状態で、リンク４１及びリンク片４２、４３の各ピン孔４１３、４２３、４３３を対向させ、これらのピン孔に連結ピン４４を挿通する。次いで、この連結ピン４４にかしめ加工を施し、これらのリンク４１及びリンク片４２、４３を相対的に回動可能かつ分離不能に一体的に連結する。この状態では、ハンドルリンク４１及び一対のリンク片４２、４３は、連結ピン４４回りにそれぞれが相対的に回動可能に連結された状態で連結される。
【００５１】
次に、ハンドルリンク４１と、このハンドルリンク４１に連結されたリンク片４２、４３とをラッチ２２の一対の連結部２２ｂの間に挿入し、各連結部２２ｂのシャフト孔２２ｄと、両リンク片４２、４３に連結されたハンドルリンク４１のスリーブ４１ｅとを芯合わせし、ラッチ２２の側部からラッチシャフト３２を挿通する。この状態でラッチシャフト３２にかしめ加工を施し、ラッチ２２と、ハンドルリンク４１及び一対のリンク片４２、４３とをケーシング２１に対し離脱不能に連結する。この状態では、ハンドルリンク４１及び一対のリンク片４２、４３は、ラッチ２２の連結部２２ｂを貫通するラッチシャフト３２によって、連結部２２ｂに対し、軸回りに回動可能に連結される。また、一対のリンク片４２、４３のスリーブ孔４２２、４３２が長孔で形成されていることから、一対のリンク片４２、４３は、ラッチシャフト３２によって、ラッチ２２及びハンドルリンク４１と連結された状態でこれらの部材に対し相対的に連結ピン４４回りに回動可能に構成されている。ラッチシャフト３２のかしめ加工を終了した後、ラッチ２２は、ケーシング２１に組み込まれ、係合部２２ａがラッチ開口部２７ｇ内に挿入される。
【００５２】
次に、ケーシング２１のハンドル装着口２７ｅにハンドル２３の操作部２３ａをケーシング２１の外側から挿入し、操作部２３ａのシャフト孔２３１とケーシング２１の隆起部２７ｄに形成されたシャフト孔２７１とを芯合わせした状態で、ケーシング２１内において、操作部２３ａに形成された凹部２３ｄ内にハンドルリンク４１とこのハンドルリンク４１に連結された一対のリンク片４２、４３とを導入することにより、これらのハンドルシャフト孔４１１、４２１、４３１を操作部２３ａのシャフト孔２３１と芯合わせする。そして、ケーシング２１の隆起部２７ｄに形成されたシャフト孔２７１にハンドルシャフト３１を挿通し、このハンドルシャフト３１をそれぞれのハンドルシャフト孔４１１、４２１、４３１に挿通させて隆起部２７ｄを貫通させる。次いで、ハンドルシャフト３１にかしめ加工を施し、ハンドル２３とハンドルリンク４１と一対のリンク片４２、４３とをケーシング２１に対し離脱不能に連結する。また、一対のリンク片４２、４３のハンドルシャフト孔４２３、４３３がスリーブ孔４２２、４３２と同様に長孔で形成されていることから、一対のリンク片４２、４３は、ハンドルシャフト３１によって、ハンドル２３及びハンドルリンク４１と連結された状態でこれらの部材に対し相対的に連結ピン４４回りに回動可能に構成されている。
【００５３】
ハンドルリンク４１の各シャフト孔４１１と、一対のリンク片４２、４３の各シャフト孔４２１、４２３は、いずれも全周にわたって閉じた孔で具体化されているので、いずれの部材もハンドルシャフト３１から当該ハンドルシャフト３１の径方向に離脱する恐れはない。また、ハンドルリンク４１には、スリーブ４１ｅが設けられ、このスリーブ４１ｅ内にラッチシャフト３２を挿通することとしているとともに、スリーブ４１ｅが挿通する一対のリンク片４２、４３のスリーブ孔４２２、４３２もまた、閉じた孔で具体化されているので、一対のリンク片４２、４３や各リンク片４２、４３のスリーブ孔４２２、４３２に挿通するスリーブ４１ｅがラッチシャフト３２から当該ラッチシャフト３２の径方向に離脱する恐れはない。しかも、本実施形態では、スリーブ４１ｅを採用することにより、ハンドルリンク４１と一対のリンク片４２、４３とが相対移動する際、堅固で滑らかな動作を実現することができる。
【００５４】
次に、ハンドル２３を倒伏姿勢（図３、図５〜図７に示すように倒伏している姿勢）に保持し、ばね部材３４をラッチ２２の板片２２ｃと、台座部２７ａに立設されたばね受板２７ｈとの間に介装する。これにより、ラッチ２２は、ばね部材３４の付勢力で係止位置に付勢されるとともに、その力がラッチシャフト３２を介してハンドルリンク４１に伝達される。この結果、ハンドルリンク４１は、図３に示すように、所定量θだけハンドルシャフト３１回りに図３において反時計回りに回動し得る姿勢に維持され、その受圧部４１ｂがハンドル２３の押圧部２３ｅに対し、平行に沿って対向する姿勢に維持される。また、一対のリンク片４２、４３は、この状態では力を受けていない自由状態になっている。
【００５５】
一方、ケーシング２１の底板２８には、予めロック部材３５が設けられている。ロック部材３５は、その基端部３５ａが底板２８にビス止めされており、受圧部３５ｄを付勢するばね部材３６とともに底板２８に組付られている。この底板２８をケーシング２１のシェル２７にねじ止めすることにより、ロック部材３５の当接部３５ｃは、一対のリンク片４２、４３と接触し、一対のリンク片４２、４３を後方に押し付ける。操作棒６によって操作されていない状態では、一対のリンク片４２、４３は自由状態となっているので、ロック部材３５が一対のリンク片４２、４３のロック解除部４２ａ、４３ａに臨む位置でロック姿勢に維持されるとともに、一対のリンク片４２、４３は、ロック部材３５やばね部材３６の付勢力によって、ハンドルリンク４１に対し、図５に示すように連結ピン４４回りに図５において時計回り方向に相対的に捩れた位置に保持される。
【００５６】
以上のような構成によれば、図３に示すように、ラッチ２２が係止位置にある状態から施錠装置１の解錠操作を行う場合には、キーユニット２４によって、施錠部材２４２を他端側から一端側に移動し、ロック部材３５をロック姿勢からロック解除姿勢に切り換え、ハンドル２３の把持部２３ｂを把持してハンドルシャフト３１回りに図３において反時計回りに回動することにより、図４に示すように、ハンドル２３の回動力がハンドルシャフト３１からハンドルリンク４１を介してラッチシャフト３２に伝達され、ラッチシャフト３２からラッチ２２を一端側に付勢する力に変換されてラッチ２２に伝達されるので、ラッチ２２は、ばね部材３４の付勢力に抗して他端側の退避位置に移動する。これにより、施錠装置１の解錠操作を行うことができる。なお、キーユニット２４によってロック部材３５は、ロック解除姿勢に維持されているので、ハンドル２３は、ロック部材３５を付勢するばね部材３６の付勢力を受けずに回動可能となっている。そのため、ハンドルによってロック部材のロック解除を直接行う必要がある構成に比べ、操作者がハンドル２３を操作するための負担が軽減される。
【００５７】
キーユニット２４によって上述のように解錠した後、操作者がハンドル２３の把持部２３ｂを離すと、ラッチ２２がばね部材３４の付勢力によって係止位置に復帰する。しかし、この状態では、キーユニット２４によって、ロック部材３５は、ロック解除姿勢のまま維持されているので、ラッチ２２は、ばね部材３４の付勢力よりも強い力を受けることによって、退避位置に移動できるようになっている。そのため、一旦キーユニット２４によって解錠された施錠装置１のラッチ２２は、扉４を閉じた後も図３と同様の係止位置に復帰している。
【００５８】
一方、上述した状態から、施錠装置１の施錠操作を行う場合には、キーユニット２４のキー操作によって、一端側に移動した施錠部材２４２を他端側に移動させるだけでよい。これにより、ハンドル２３は、図４に示したように、施錠部材２４２によって回動をロックされるので、施錠装置１の施錠が完了する。
【００５９】
このように本実施形態では、キーユニット２４によって庫外から解錠操作を行うことができるとともに、ケーシング２１に設けたラッチ２２を当該ケーシング２１から突出した係止位置にロックするロック部材３５を設けているので、先行技術と同様に施錠されたラッチ２２を直接操作しても解錠することができなくなり、セキュリティの向上に寄与することができる。
【００６０】
次に、何らの理由により、不随意に人が庫内に閉じ込められて、施錠装置１が図６に示すように扉４を施錠している場合、当該人が操作棒６を扉４の孔５から挿入することにより、緊急的に施錠装置１を解錠することができる。その場合には、図６に示したように、操作棒６が庫内リンクの要部であるリンク片４２、４３に設けたレバー部４２ｂ、４３ｂを押し込むので、これらリンク片４２、４３は、ロック部材３５やばね部材３６の弾発力に抗して連結ピン４４回りに、図６において反時計回りに回動量αだけ回動し、それぞれのロック解除部４２ａ、４３ａによって、図６に示したように、ロック部材３５をロック姿勢からロック解除姿勢に押し込む。その後、さらに、操作棒６が押し込まれることにより、リンク片４２の押圧板４２ｄがハンドルリンク４１のレバー部４１ｄを押し込むので、これらのハンドルリンク４１及び一対のリンク片４２、４３は、ハンドルシャフト３１回りに図６の反時計回りに回動し、図７に示したように、ラッチ２２を退避位置に移動させることができる。
【００６１】
このように本実施形態では、ハンドル２３の操作力と庫内から挿入される操作棒６の操作力とのいずれかの力を受けてラッチ２２を退避位置に移動する各ハンドルリンク４１及び一対のリンク片４２、４３を設けているので、不随意に庫内に閉じ込められた人が、庫内からハンドルリンク４１及び一対のリンク片４２、４３を操作することによって、緊急的に庫内から解錠することができ、庫外に脱出することも可能となる。
【００６２】
加えて本実施形態では、ラッチ２２とハンドルリンク４１及び一対のリンク片４２、４３とが共通のハンドルシャフト３１及びラッチシャフト３２によってケーシング２１に対し離脱不能に連結されているので、長期間使用しても各シャフト３１、３２に連結している部材（ハンドルシャフト３１については、ハンドルとハンドルリンク４１及び一対のリンク片４２、４３、ラッチシャフト３２については、ラッチ２２とハンドルリンク４１及び一対のリンク片４２、４３）の離脱に伴う摩耗や傷が生じにくくなり、円滑な滑りを長期間にわたって維持することが可能になる。さらに、ハンドル２３、ラッチ２２、ハンドルリンク４１及び一対のリンク片４２、４３がハンドルシャフト３１及びラッチシャフト３２のいずれかに連結されることよって、ケーシング２１を開いたときにこれらの部材がケーシング２１からばらけることもなくなり、組付時やメンテナンス時の取扱いが格段に向上する。
【００６３】
また、本実施形態は、ハンドルリンク４１と、このハンドルリンク４１とを別部材で構成された庫内リンクとしての一対のリンク片４２、４３とを備えている。そのため、本実施形態では、ハンドルの力を伝達するときは、ハンドルリンク４１を用いてラッチ２２を係止位置と退避位置との双方向に移動することができるとともに、庫内からの操作力をラッチ２２に伝達するときには、庫内リンクを用いてラッチ２２を係止位置から強制的に退避位置に移動することができる。しかも、これらのリンク機能を２部材に担わせることができるので、ハンドルの操作時の仕様と庫内からの解錠操作時の仕様に応じて、各リンクを個別に設計することができ、実施が容易になるとともに、個々のリンクの動作の信頼性を高めることができる。特に、ハンドル２３の回動量θが比較的小さな値である場合であっても、ハンドルリンク４１に回動量α分の回動動作を行わせる必要がないので、回動量θが小さな仕様の施錠装置においても、容易に本実施形態を適用することが可能となる。
【００６４】
また、本実施形態では、ハンドルリンク４１は、板金部材で形成されているとともに、
庫内リンクは、板金部材で形成されたリンク片４２、４３と、リンク片４２、４３とハンドルリンク４１とを回動可能に連結する連結ピン４４とを備えている。リンク片４２、４３は、ラッチ２２が係止位置にあるときにケーシング２１に形成された操作口２８ａを通して庫内に臨むレバー部４２ｂ、４３ｂと、操作部材としての操作棒６にレバー部４２ｂ、４３ｂが押圧されたときは、予め設定されたロック解除回動量αだけ単独で連結ピン４４回りに図６及び図７において反時計回りに回動してロック部材３５のロックを解除するロック解除部４２ａ、４３ａと、ロック解除回動量αを超えて回動するようにレバー部４２ｂ、４３ｂが操作棒６に押圧されたときには当該リンク片４２、４３がハンドルリンク４１とともにハンドルシャフト３１回りに図７において反時計回りに回動し、ラッチ２２を退避位置に移動させるように構成されている。そのため本実施形態では、庫内から解錠動作を行うだけでロックを解除する動作とラッチ２２を移動する動作とを行わせることができるので、作業性のよい機構を構成することができる。
【００６５】
本発明は、上述した実施の形態に限定されるものではなく、本発明の要旨を逸脱しない範囲内において種々変更を加え得ることはいうまでもない。
【００６６】
例えば、上述した実施形態では、ハンドルリンクと庫内リンクとを別々の部材で構成しているが、これらに代えて、ハンドルリンクにロック解除部を設けた単一の部材を採用してもよい。すなわち、ハンドルリンクに長孔で形成されたラッチシャフト孔を設け、ハンドルが倒伏姿勢から起立姿勢に移行する最初の所定の回動量αだけラッチシャフトと相対的に回動可能に構成し、この回動量αでロック部材をロック解除姿勢に切り換えるロック解除部を設けてもよい。かかる構成では、ハンドルを倒伏姿勢にから起立姿勢に回動する過程で、ハンドルリンクに設けたロック解除部が最初にラッチシャフトと相対的に回動し、ロック部材をロック解除姿勢に切り換え、その後、ハンドルリンクの力をラッチシャフトに伝達し、ラッチを移動する。その場合においても、ハンドルとハンドルリンク、及びハンドルリンクとラッチの連結構造は、離脱不能なシャフト孔で構成することができるので、耐久性の維持や取扱いの容易性を図ることが可能となる。
【００６７】
また、ラッチシャフト孔４１２は、上述した図１〜図７の実施形態の例のように、ハンドルリンク４１に形成する方が製造しやすいが、図１〜図７の実施形態に限らず、ハンドルリンク４１に溶接等で固定する方法を採用してもよい。また、図１〜図７の実施形態のように、ラッチ２２とハンドルリンク４１の双方にラッチシャフト孔２２ｄ、４１２が形成されている態様であってもよい。そのような場合であっても、ラッチシャフトをラッチ２２に固定することが可能である。
【００６８】
また、ハンドルリンク４１に設けられたスリーブ４１ｅを、一対のリンク片４２、４３のそれぞれに突設し、ハンドルリンク４１に当該スリーブに適合する長孔を形成してもよい。その態様においても、スリーブ孔は、当該ハンドルリンク４１と当該庫内リンクとしての一対のリンク片４２、４３とが自由状態にあるときでもスリーブが径方向へ離脱するのを規制するように少なくとも一部が周方向に閉じた円形状に形成される。これにより、ハンドルリンク４１と庫内リンクとしての一対のリンク片４２、４３は、いずれもラッチシャフトに対して離脱不能に連結され、一層、組付状態が安定し、耐久性が向上する。
【００６９】
さらに、上述したハンドルシャフト孔４１１、４２１、４３１や、ハンドルリンク４１のラッチシャフト孔４１２の形状は、当該シャフト３１、３２が径方向に離脱できない諸元であれば、一部が開いていてもよい。
【００７０】
同様に、一対のリンク片４２、４３に形成されたスリーブ孔４２２、４３２の形状も、当該スリーブ４１ｅが径方向に離脱できない程度に閉じていれば、一部が開いていてもよい。そのように、ハンドルリンク４１と庫内リンクとしての一対のリンク片４２、４３とのいずれか一方に形成されたスリーブ孔４２２、４３２を挿通し、他方に形成されてスリーブ孔４２２、４３２に挿通するとともに内周にラッチシャフト孔４１２を有するスリーブ４１ｅをさらに設け、スリーブ孔４２２、４２３は、当該ハンドルリンク４１と当該庫内リンク（としての一対のリンク片４２、４３）とが自由状態にあるときでもスリーブ４１ｅが径方向へ離脱するのを規制するように少なくとも一部が周方向に閉じた円形状を有していてもよい。その場合には、ハンドルリンク４１と庫内リンク（としての一対のリンク片４２、４３）とは、いずれもラッチシャフト３２に対して離脱不能に連結され、一層、組付状態が安定し、耐久性が向上する。
【符号の説明】
【００７１】
１     施錠装置
２     ウォーク・イン型冷蔵庫
３     筐体
３ａ   壁面
４     扉
６     操作棒
１０   受け部材
２０   施錠ユニット
２１   ケーシング
２２   ラッチ
２２ｄ シャフト孔
２３   ハンドル
２３ｃ シャフト孔
２４   キーユニット
３１   ハンドルシャフト
３２   ラッチシャフト
３５   ロック部材
４１   ハンドルリンク
４２、４３    リンク片（庫内リンクの一例）
４２ａ、４３ａ       ロック解除部
４２ｂ、４３ｂ       レバー部
４２ｄ 押圧板
４１１ ハンドルシャフト孔
４１２ ラッチシャフト孔
４１３ ピン孔
４２１、４３１       ハンドルシャフト孔
４２２、４３２       ラッチシャフト孔
４２３、４３３       ピン孔
α     ロック解除のための回動量
θ     ラッチ操作のための回動量
【図１】
0006692655.tif 000002
【図２】
0006692655.tif 000003
【図３】
0006692655.tif 000004
【図４】
0006692655.tif 000005
【図５】
0006692655.tif 000006
【図６】
0006692655.tif 000007
【図７】
0006692655.tif 000008